(57)【要約】【課題】制御装置に対する電気機器の配線ミスを自動的に修復することが可能な電気機器システムを提供する。【解決手段】電気機器システムにおいて、制御装置３は、電気機器Ａのそれぞれがデジタル信号線Ｄを介して個別に接続される接続端子Ｔを有する。各電気機器Ａは、自身に設定されている識別情報に対応する識別信号を含んだデータを送信する。制御装置３において、対応テーブル３０は、接続端子Ｔと、当該接続端子Ｔのそれぞれに入力されるべき識別信号に関する情報と、が予め互いに対応付けられたものである。変更部３４は、接続端子Ｔの何れかにおいて、その接続端子Ｔに入力されたデータから得られる識別信号が、対応テーブル３０において当該接続端子Ｔに対応付けられている情報に一致しなかった場合、一致しなかった識別信号に対応する情報と、その識別信号が入力された接続端子Ｔと、が互いに対応する様に、予め定められていた対応付けを変更する。【選択図】図１
2018091733.tif 000002
【特許請求の範囲】
【請求項１】
複数の電気機器と、
前記複数の電気機器のそれぞれがデジタル信号線を介して個別に接続される複数の接続端子を有し、前記デジタル信号線を介して前記複数の電気機器を制御する制御装置と、
を備え、
前記複数の電気機器の各々には、他の電気機器との識別に用いられる識別情報が設定されており、各電気機器は、自身に設定されている前記識別情報に対応する識別信号を含んだデータを送信することが可能であり、
前記制御装置は、
前記複数の接続端子と、当該接続端子のそれぞれに入力されるべき前記識別信号に関する情報と、が予め互いに対応付けられた対応テーブルと、
前記複数の電気機器の各々に前記データを送信させる送信指令部と、
各接続端子に入力された前記データから得られる前記識別信号が、前記対応テーブルにおいて当該接続端子に対応付けられている情報に一致するか否かを判断する判断部と、
前記複数の接続端子の何れかにおいて、その接続端子に入力された前記データから得られる前記識別信号が、前記対応テーブルにおいて当該接続端子に対応付けられている情報に一致しない、と前記判断部が判断した場合、一致しなかった識別信号に対応する情報と、その識別信号が入力された接続端子と、が互いに対応する様に、予め定められていた対応付けを変更する変更部と、
を含む、電気機器システム。
【請求項２】
前記識別信号は、前記電気機器ごとにパルス幅が異なる信号であり、当該パルス幅が前記情報として用いられる、請求項１に記載の電気機器システム。
【請求項３】
前記識別信号は、前記電気機器ごとにパルス数が異なる信号であり、当該パルス数が前記情報として用いられる、請求項１に記載の電気機器システム。
【請求項４】
前記識別信号は、前記電気機器ごとに、前記送信指令部が送信指令を行ってから当該電気機器が所定パルスの送信を開始するまでの遅延時間が異なる信号であり、当該遅延時間が前記情報として用いられる、請求項１に記載の電気機器システム。
【発明の詳細な説明】
【技術分野】
【０００１】
本発明は、複数の電気機器を備える電気機器システムに関し、特に同種の電気機器を複数備えたものに関する。
【背景技術】
【０００２】
従来、複数の電気機器（例えば、電源装置等）と、これらを制御する制御装置と、がユニット化された電気機器システム（例えば、特許文献１参照）では、当該電気機器のそれぞれを、デジタル信号線を介して制御装置に個別に接続することが一般的であった。そして、この様な電気機器システムでは、制御装置は、デジタル信号線が接続される複数の接続端子を有している。
【先行技術文献】
【特許文献】
【０００３】
【特許文献１】特開２０１５−１３３３４５号公報
【発明の概要】
【発明が解決しようとする課題】
【０００４】
近年、電気機器システムにおいて、複数の電気機器を個別に制御することを可能にするべく、当該複数の電気機器の各々に、他の電気機器との識別に用いられる識別情報が設定されることが多くなってきている。そして、デジタル信号線を介して複数の電気機器を個別に制御する場合、制御装置が有する接続端子の各々には、それに対応する識別情報が設定されている電気機器を、デジタル信号線を用いて接続することが、ユーザに要求される。
【０００５】
しかし、接続端子の何れかに、対応する電気機器とは別の電気機器が誤って接続されることがあり得る。この様な配線ミスが生じると、電気機器を正しく制御することができず、電気機器システムを正常に動作させることが困難になる虞がある。
【０００６】
そこで本発明の目的は、制御装置に対する電気機器の配線ミスを自動的に修復することが可能な電気機器システムを提供することである。
【課題を解決するための手段】
【０００７】
本発明に係る電気機器システムは、複数の電気機器と、デジタル信号線を介して当該複数の電気機器を制御する制御装置と、を備える。制御装置は、複数の電気機器のそれぞれがデジタル信号線を介して個別に接続される複数の接続端子を有する。複数の電気機器の各々には、他の電気機器との識別に用いられる識別情報が設定されており、各電気機器は、自身に設定されている識別情報に対応する識別信号を含んだデータを送信することが可能である。制御装置は、対応テーブルと、送信指令部と、判断部と、変更部と、を含む。対応テーブルは、複数の接続端子と、当該接続端子のそれぞれに入力されるべき識別信号に関する情報と、が予め互いに対応付けられたものである。送信指令部は、複数の電気機器の各々に、識別信号を含んだデータを送信させる。判断部は、各接続端子に入力されたデータから得られる識別信号が、対応テーブルにおいて当該接続端子に対応付けられている情報に一致するか否かを判断する。変更部は、複数の接続端子の何れかにおいて、その接続端子に入力されたデータから得られる識別信号が、対応テーブルにおいて当該接続端子に対応付けられている情報に一致しない、と判断部が判断した場合、一致しなかった識別信号に対応する情報と、その識別信号が入力された接続端子と、が互いに対応する様に、予め定められていた対応付けを変更する。
【０００８】
上記電気機器システムによれば、制御装置における次の様な判断が可能になる。即ち、接続端子に実際に入力されたデータから得られる識別信号が、対応テーブルにおいて当該接続端子に対応付けられている情報に一致した場合には、接続端子に、対応する識別情報が設定されている電気機器が正しく接続されている、と制御装置は判断することができる。一方、一致しなかった場合には、接続端子に、対応しない識別情報が設定されている別の電気機器が誤って接続されている、と制御装置は判断することができる。そして、電気機器が誤って接続されていた場合であっても、変更部が、対応テーブルにおける対応付けを変更することにより、接続端子と電気機器との接続関係を正しいものとして扱うことが可能になる。
【発明の効果】
【０００９】
本発明によれば、制御装置に対する電気機器の配線ミスを自動的に修復することが可能になる。
【図面の簡単な説明】
【００１０】
【図１】実施形態に係る電気機器システムを概念的に示したブロック図である。
【図２】電気機器が有するロータリスイッチを示した概念図である。
【図３】電気機器システムが備える制御装置の背面図である。
【図４】実施形態において制御装置が行う一連の処理を示したフローチャートである。
【図５】対応テーブルの一例を示した図である。
【図６】（Ａ）〜（Ｃ）識別情報に対応するデータについての３つの具体例を示した図である。
【図７】（Ａ）２つの接続端子に電気機器が誤って接続された場合を示したブロック図、及び（Ｂ）そのときの誤った接続組合せを示した図である。
【図８】制御装置における変更処理後の対応テーブルを示した図である。
【発明を実施するための形態】
【００１１】
図１は、実施形態に係る電気機器システムを概念的に示したブロック図である。図１に示される様に、電気機器システムは、複数の電気機器Ａと、デジタル信号線Ｄを介して当該複数の電気機器Ａを制御する制御装置３と、を備える。尚、図１では、Ｎ個の電気機器Ａ及びそれぞれに対応するＮ個のデジタル信号線Ｄが、符号Ａ（ｎ）及びＤ（ｎ）（ｎは、１≦ｎ≦Ｎを満たす整数）で区別して示されている。
【００１２】
本実施形態では、電気機器Ａの各々が、通信ネットワーク（不図示）を介して制御装置３と通信を行う一方で、他の電気機器Ａとは通信を行うことがない様に、電気機器システムは構築される。又、電気機器Ａは、何れも固有の機器アドレスを持たず、その一方で、後述する機器アドレスｋの設定を個別に行うことが可能である。電気機器Ａは何れも、自身に設定された機器アドレスｋを認識することなく、通信ネットワークを介して制御装置３から送信される指令に応じて、自身が持つ固有の動作や制御装置３へのデータの送信等を実行する。但し、この構成は一例であって、電気機器Ａ間の通信を排除するものではない。
【００１３】
電気機器Ａには、例えば電源装置等、同種のものが用いられる。具体的には、電気機器Ａには、構成が同じ機器が用いられる。そして、電気機器Ａの各々は、他の電気機器Ａとの識別に用いられる識別情報として、機器アドレスｋを設定することが可能な構成を有している。又、電気機器Ａの各々は、自身に設定されている機器アドレスｋ（識別情報）に対応する識別信号を含んだデータＳを送信することが可能である。データＳの詳細については、後述する。尚、図１では、Ｎ台の電気機器Ａのうちのｎ台目の電気機器Ａが符号Ａ（ｎ）で示され、電気機器Ａ（ｎ）の機器アドレスｋに対応するデータＳが、符号Ｓ（ｋ）で示されている。又、各電気機器Ａ（ｎ）の機器アドレスｋについて、後述する様にユーザの操作により選択可能アドレスｍから任意に選択されて設定されることが、符号ｋ（ｍ）で示されている。
【００１４】
本実施形態では、電気機器Ａの各々はロータリスイッチ１１を有し（図２参照）、当該ロータリスイッチ１１をユーザが操作することにより機器アドレスｋが設定される。尚、ロータリスイッチ１１は、例えば、ユーザが設定操作するために、電気機器Ａの正面や、背面、側面等に設けられている。又、ロータリスイッチ１１は、開閉又は着脱可能なカバー（不図示）で覆い隠されてもよい。
【００１５】
図２は、ロータリスイッチ１１を示した概念図である。図２に示される様に、ロータリスイッチ１１は、操作軸１１ａと、複数の接点（不図示）が設けられたスイッチ本体１１ｂと、を有し、当該操作軸１１ａの回転に伴って通電（短絡）させる接点を切り替えることが可能である。そして、接点のそれぞれに、選択可能アドレスｍが設定されている。本実施形態では、選択可能アドレスｍとして１〜ＭまでのＭ個の番号が採用されており、スイッチ本体１１ｂの正面には、接点のそれぞれを通電させたときに、操作軸１１ａに記された矢印の先端と対向する箇所に、選択可能アドレスｍの１〜Ｍの番号が表記されている。尚、選択可能アドレスｍには、番号に限らず、文字や記号等が用いられてもよいし、番号、文字、記号等を組み合わせたものが用いられてもよい。
【００１６】
各電気機器Ａ（ｎ）において、ユーザは、ロータリスイッチ１１を操作して接点を切り替えることにより、通電させる接点を選択する。これにより、選択された接点に設定されている選択可能アドレスｍが、電気機器Ａ（ｎ）の機器アドレスｋ（識別情報）として設定される（ｋ＝ｍ）。図１では、各電気機器Ａ（ｎ）の機器アドレスｋが、ユーザの操作により選択可能アドレスｍから任意に選択されて設定されることが、符号ｋ（ｍ）で示されている。他の図においても同様である。尚、機器アドレスｋの設定には、ロータリスイッチ１１に限らず、機器アドレスｋの個別設定が可能な他の設定手段が用いられてもよい。例えば、ＰＣ（Personal  computer）等を電気機器Ａに接続し、当該ＰＣからの操作で機器アドレスｋが設定されてもよい。
【００１７】
一例として、制御装置３に接続可能な電気機器Ａの上限台数をＭ台とし、電気機器Ａのそれぞれにおいて、選択可能アドレスｍから１〜Ｍの番号の何れかを、機器アドレスｋとして設定することができる。例えば、１台目の電気機器Ａ（１）において、ロータリスイッチ１１を操作して選択可能アドレスｍから３番を選択することにより、電気機器Ａ（１）の機器アドレスｋが３に設定される（ｋ＝３）。又、２台目の電気機器Ａ（２）において、ロータリスイッチ１１を操作して選択可能アドレスｍから１番を選択することにより、電気機器Ａ（２）の機器アドレスｋが１に設定される（ｋ＝１）。そして、制御装置３に接続されている電気機器Ａの全てにおいて、機器アドレスｋを、それぞれ任意に設定することができる。
【００１８】
製造工場からの電気機器Ａの出荷時には、機器アドレスｋはデフォルト値（例えば、１）に設定されている。その後、電気機器システムの構築時に、ユーザにより、電気機器Ａごとに機器アドレスｋが設定される。
【００１９】
尚、電気機器Ａの各々には、機器アドレスｋに限定されない種々の識別情報が設定されていてもよい。この場合、電気機器Ａの各々は、自身に設定されている識別情報に対応する識別信号を含んだデータＳを、送信指令部３１からの送信指令に応じて送信してもよい。
【００２０】
図３は、制御装置３の背面図である。図３に示される様に、制御装置３は、複数の電気機器Ａのそれぞれがデジタル信号線Ｄを介して個別に接続される複数の接続端子Ｔを有する。尚、図３では、Ｐ個の接続端子Ｔが、符号Ｔ（ｐ）（ｐは、１≦ｐ≦Ｐを満たす整数）で区別して示されている。
【００２１】
そして、デジタル信号線Ｄを介して複数の電気機器Ａを個別に制御する場合、接続端子Ｔの各々には、それに対応する識別情報（本実施形態では、機器アドレスｋ）が設定されている電気機器Ａを、デジタル信号線Ｄを用いて接続することが、ユーザに要求される。一例（図１参照）として、接続端子Ｔ（ｐ＝１）には、機器アドレスｋが１に設定されている電気機器Ａ（１）を、デジタル信号線Ｄ（１）を介して接続し、接続端子Ｔ（ｐ＝ｒ）（ｒは、１≦ｒ≦Ｐを満たす整数）には、機器アドレスｋがｒに設定されている電気機器Ａ（ｎ）を、デジタル信号線Ｄ（ｎ）を介して接続することが、予め定められている。そして、ユーザには、機器アドレスｋがｒに設定されている電気機器Ａ（ｎ）を、デジタル信号線Ｄ（ｎ）を用いて接続端子Ｔ（ｐ＝ｒ）に接続することが要求される。
【００２２】
但し、必ずしも、１番目の電気機器Ａ（１）の機器アドレスｋを１に設定し、ｎ番目の電気機器Ａ（ｎ）の機器アドレスｋをｎに設定することが要求されるものではない。接続端子Ｔ（ｐ＝ｒ）に接続されたｎ台目の電気機器Ａ（ｎ）の機器アドレスｋがｒに設定されていればよく、ｎとｒとの間に関連性が要求されるわけではない。即ち、ユーザは、電気機器Ａ（ｎ）のロータリスイッチ１１を操作して、１〜Ｍ番から任意に所望の選択可能アドレスｍ（即ち、ｒ番）を選択し、機器アドレスｋ（ｍ）を設定することができる。そして、設定された機器アドレスｋ（ｍ）に応じて、電気機器Ａ（ｎ）が接続されるべき接続端子Ｔ（ｐ）が定められている。よって、ユーザには、機器アドレスｋ（ｍ）が示す番号順に、接続端子Ｔに電気機器Ａを接続することが要求される。尚、接続端子Ｔと識別情報（本実施形態では機器アドレスｋ）との対応関係は、これに限定されるものではなく、種々の変形が可能である。
【００２３】
接続端子Ｔは、これらへのデジタル信号線Ｄの接続後、カバー（不図示）で覆い隠されてもよい。又、接続端子Ｔは、背面に限らず、正面や側面等に設けられてもよい。
【００２４】
一例として、Ｎ台（Ｎ≦Ｍ且つＮ≦Ｐ）の電気機器Ａ（１）〜Ａ（Ｎ）を積み重ねて電気機器システムを構築する場合、最上段の電気機器Ａ（１）から積載順に、それぞれのロータリスイッチ１１の操作により選択可能アドレスｍから１〜Ｎ番が選択される。これにより、電気機器Ａ（１）〜Ａ（Ｎ）には、積載順に、機器アドレスｋが１〜Ｎに設定されると共に、それぞれがデジタル信号線Ｄ（１）〜Ｄ（Ｎ）を介して接続端子Ｔ（ｐ＝１）〜Ｔ（ｐ＝Ｎ）に接続される。この様に、電気機器Ａをラック等に順に積載し、積載順に、機器アドレスｋを設定すると共に、デジタル信号線Ｄを介して接続端子Ｔに接続することにより、機器アドレスｋ（ｍ）の設定と接続端子Ｔ（ｐ）への配線とについて間違いが生じ難くなる。しかし、その後、例えば棚卸やレイアウト変更等の何らかの理由により、ユーザが電気機器Ａ（１）〜Ａ（Ｎ）の配列を変更した場合、ユーザには、デジタル信号線Ｄを配線し直す必要が生じる。このとき、ユーザによるデジタル信号線Ｄの配線ミスにより、接続端子Ｔ（ｐ＝１）〜Ｔ（ｐ＝Ｎ）の幾つかにおいて、対応しない識別情報（本実施形態では機器アドレスｋ）を持つ電気機器Ａが接続されることがある。
【００２５】
電気機器Ａの各々が固有の機器アドレスを持つ場合や、電気機器Ａの各々に自動で機器アドレスｋが付与される場合には、デジタル信号線Ｄによる接続端子Ｔと電気機器Ａとの接続関係に拘らず、配線後に自動で電気機器Ａに対して、接続されている接続端子Ｔと対応する様に所望の機器アドレスｋを付与することが可能である。しかし、本実施形態では、複数の電気機器Ａにおいて個別に機器アドレスｋが設定され、各電気機器Ａは、それに設定された機器アドレスｋに対応する接続端子Ｔにデジタル信号線Ｄを介して接続されることが、前提とされている。このため、電気機器Ａにおいて機器アドレスｋが正しく設定されたとしても、ユーザによるデジタル信号線Ｄの配線ミスにより、接続端子Ｔの幾つかにおいて、対応しない識別情報（本実施形態では機器アドレスｋ）を持つ電気機器Ａが接続されることがある。
【００２６】
そこで、本実施形態の電気機器システムは、複数の接続端子Ｔに対して電気機器Ａが正しく接続されているか否かを個別に検出することが可能な構成を有する。具体的には以下の通りである。
【００２７】
図１に示される様に、制御装置３は、対応テーブル３０と、送信指令部３１と、判断部３２と、変更部３４と、を含む。尚、図４は、以下で説明する一連の処理を示したフローチャートである。制御装置３が行う一連の処理は、ＣＰＵ（Central  Processing  Unit）やマイクロコンピュータ等、制御処理装置により行うことができる。又、当該一連の処理は、対応するプログラムを制御装置３に実行させることにより、実現されてもよい。そして、その様なプログラムは、読取り可能な状態で記憶媒体（例えば、フラッシュメモリ等）に記憶されてもよいし、制御装置３が備える記憶部（不図示）に記憶されてもよい。
【００２８】
対応テーブル３０は、複数の接続端子Ｔと、当該接続端子Ｔのそれぞれにデジタル信号線Ｄを介して電気機器Ａが正しく接続されているときに接続端子Ｔのそれぞれに入力されるべき機器アドレスｋに対応する情報Ｓｔと、が互いに対応付けられた参照データである。図５は、対応テーブル３０の一例を示した図である。図５に示された対応テーブル３０は、接続端子Ｔ（ｐ＝ｒ）に、機器アドレスｋがｒである電気機器Ａ（ｎ）を接続することが、予め定められている場合において、接続端子Ｔ（ｐ＝ｒ）と、これに接続されるべき機器アドレスｋ（＝ｒ）に対応する情報Ｓｔと、が互いに対応付けられたものである。図５では、対応テーブル３０と共に、電気機器Ａと接続端子Ｔとの正しい接続組合せが示されている。尚、機器アドレスｋに対応する情報Ｓｔは、図５に示される様に機器アドレスｋそのものである場合に限らず、後述するパルス幅Ｗ、パルス数Ｃ、遅延時間ｔｄ等の情報であってもよい。
【００２９】
そして、電気機器Ａは、制御装置３の指令（送信指令部３１からの送信指令）に応じて、自身に設定されている機器アドレスｋに対応する固有の識別信号を含んだデータＳ（ｋ）を送信することができる。本実施形態では、電気機器Ａに設定された機器アドレスｋ（識別信号）そのものが、データＳ（ｋ）として採用されている（図５参照）。
【００３０】
送信指令部３１は、電気機器Ａに対する送信指令を実行する（図４のステップＳ１１）。具体的には、送信指令部３１は、電気機器Ａの各々に、機器アドレスｋ（識別情報）に対応する識別信号を含んだデータＳ（ｋ）の送信を要求する。
【００３１】
データＳ（ｋ）は、電気機器Ａ（ｎ）に設定されている識別情報（本実施形態では、機器アドレスｋ＝ｒ）に対応したデジタル信号である。具体的には、データＳ（ｋ）は、機器アドレスｋに応じて異なる信号であり、送信指令部３１が送信指令を行ってから制御装置３での当該データＳ（ｋ）の受信が完了するまでの時間が、電気機器Ａ（ｎ）ごとに異なる信号である。より具体的な例を、以下に説明する。尚、データＳ（ｋ）は、以下に説明する具体例に限らず、種々の変形が可能である。
【００３２】
図６（Ａ）〜（Ｃ）は、データＳ（ｋ）についての３つの具体例をそれぞれ示した図である。第１の具体例（図６（Ａ）参照）において、データＳ（ｋ）は、機器アドレスｋ（識別情報）に応じてパルス幅Ｗが異なる信号である。ここで、パルス幅Ｗは、データＳ（ｋ）を構成するデータ列において２進数の”１”が連続して並んだ部分のビット数に対応する。例えば、接続端子Ｔ（ｐ＝ｒ）に、機器アドレスｋがｒである電気機器Ａ（ｎ）を接続することが、予め定められている場合、データＳ（ｋ）のパルス幅Ｗを、所定時間ｔｓを用いてｒ×ｔｓで表される時間に対応させることができる。
【００３３】
本実施形態の場合、機器アドレスｋが１に設定された電気機器Ａ（１）から送信されるデータＳ（ｋ＝１）のパルス幅Ｗが最も短く、機器アドレスｋがＲ（ｋが連続的な値でない場合、Ｒは必ずしもＮに一致する必要はない）に設定された電気機器Ａ（Ｎ）から送信されるデータＳ（ｋ＝Ｒ）のパルス幅Ｗが最も長くなる。即ち、接続端子Ｔ（ｐ＝ｒ）に入力されるデータＳ（ｋ）のパルス幅Ｗは、対応する機器アドレスｋの値（ｋ＝ｒ）が大きくなるのに従って長くなる。よって、制御装置３（具体的には、判断部３２）は、接続端子Ｔ（ｐ＝ｒ）を介して受信したデータＳ（ｋ）のパルス幅Ｗの時間をカウント又は計測することにより、上述した対応テーブル３０に基づき、当該接続端子Ｔ（ｐ＝ｒ）に、機器アドレスｋがｒである電気機器Ａ（ｎ）が正しく接続されているか否かを判断することができる。
【００３４】
第２の具体例（図６（Ｂ）参照）において、データＳ（ｋ）は、機器アドレスｋに応じてパルス数Ｃが異なる信号である。ここで、パルス数Ｃは、所定幅を持ったパルスの配列数に対応する。例えば、接続端子Ｔ（ｐ＝ｒ）に、機器アドレスｋがｒである電気機器Ａ（ｎ）を接続することが、予め定められている場合、データＳ（ｋ）のパルス数Ｃを、Ｃ＝ｒとすることができる。
【００３５】
本実施形態の場合、機器アドレスｋが１に設定された電気機器Ａ（１）から送信されるデータＳ（ｋ＝１）のパルス数Ｃが最も少なく、機器アドレスｋがＲに設定された電気機器Ａ（Ｎ）から送信されるデータＳ（ｋ＝Ｒ）のパルス数Ｃが最も多くなる。即ち、接続端子Ｔ（ｐ＝ｒ）に入力されるデータＳ（ｋ）のパルス数Ｃは、対応する機器アドレスｋの値（ｋ＝ｒ）が大きくなるのに従って多くなる。よって、制御装置３（具体的には、判断部３２）は、接続端子Ｔ（ｐ＝ｒ）を介して受信したデータＳ（ｋ）のパルス数Ｃをカウント又は検出することにより、上述した対応テーブル３０に基づき、当該接続端子Ｔ（ｐ＝ｒ）に、機器アドレスｋがｒである電気機器Ａ（ｎ）が正しく接続されているか否かを判断することができる。
【００３６】
第３の具体例（図６（Ｃ）参照）において、データＳ（ｋ）は、機器アドレスｋ（識別情報）に応じて、送信指令部３１が送信指令を行ってから電気機器Ａ（ｎ）が所定パルスの送信を開始するまでの遅延時間ｔｄが異なる信号である。ここで、遅延時間ｔｄは、電気機器Ａの各々にタイマを設け、そのタイマで計測される時間に対応する。例えば、接続端子Ｔ（ｐ＝ｒ）に、機器アドレスｋがｒである電気機器Ａ（ｎ）を接続することが、予め定められている場合、データＳ（ｋ）の遅延時間ｔｄを、所定時間ｔｄ０を用いてｒ×ｔｄ０で表される時間に対応させることができる。
【００３７】
本実施形態の場合、機器アドレスｋが１に設定された電気機器Ａ（１）から送信されるデータＳ（ｋ＝１）の遅延時間ｔｄが最も短く、機器アドレスｋがＲに設定された電気機器Ａ（Ｎ）から送信されるデータＳ（ｋ＝Ｒ）の遅延時間ｔｄが最も長くなる。即ち、接続端子Ｔ（ｐ＝ｒ）に入力されるデータＳ（ｋ）の遅延時間ｔｄは、対応する機器アドレスｋの値（ｋ＝ｒ）が大きくなるのに従って長くなる。よって、制御装置３（具体的には、判断部３２）は、接続端子Ｔ（ｐ＝ｒ）を介して受信したデータＳ（ｋ）の遅延時間ｔｄをカウント又は計測することにより、上述した対応テーブル３０に基づき、当該接続端子Ｔ（ｐ＝ｒ）に、機器アドレスｋがｒである電気機器Ａ（ｎ）が正しく接続されているか否かを判断することができる。
【００３８】
判断部３２は、接続端子Ｔの各々に入力されたデータＳから得られる識別信号（例えば、機器アドレスｋ、パルス幅Ｗ、パルス数Ｃ、遅延時間ｔｄ等）が、対応テーブル３０において当該接続端子Ｔに対応付けられている情報Ｓｔに一致するか否かを判断する（図４のステップＳ１２）。
【００３９】
これにより、制御装置３における次の様な判断が可能になる。即ち、接続端子Ｔの各々を判断の対象として、対象とされた接続端子Ｔに実際に入力されたデータＳから得られる識別信号（例えば、機器アドレスｋ、パルス幅Ｗ、パルス数Ｃ、遅延時間ｔｄ等）が、対応テーブル３０において当該接続端子Ｔに予め対応付けられている情報Ｓｔ（当該接続端子Ｔに接続されるべき機器アドレスｋに関連する情報）に一致した場合には、対象とされた接続端子Ｔに、対応する機器アドレスｋが設定されている電気機器Ａが正しく接続されている、と制御装置３は判断することができる。一方、一致しなかった場合には、対象とされた接続端子Ｔに、対応しない別の機器アドレスｋが設定されている電気機器Ａが誤って接続されている、と制御装置３は判断することができる。
【００４０】
従って、上記電気機器システムによれば、複数の接続端子Ｔに対して電気機器Ａが正しく接続されているか否かを個別に検出することができる。
【００４１】
図７（Ａ）は、２つの接続端子Ｔ（ｐ＝ｒ１）及びＴ（ｐ＝ｒ２）に電気機器Ａ（ｎ１）及びＡ（ｎ２）が誤って接続された場合を示したブロック図であり、図７（Ｂ）は、そのときの誤った接続組合せを示した図である。図７（Ｂ）において、対応テーブル３０は、接続端子Ｔ（ｐ）と、これに接続されるべき機器アドレスｋに対応する情報Ｓｔと、の組合せであって、予め定められたものを示している。そして、２つの接続端子Ｔ（ｐ＝ｒ１）及びＴ（ｐ＝ｔ２）には、これらに接続されるべき機器アドレスｋとしてｒ１及びｒ２を対応付けるべく、情報Ｓｔが設定されている。又、図７（Ｂ）に示される接続組合せは、接続端子Ｔ（ｐ）に接続された電気機器Ａの組合せを、当該電気機器Ａに設定された機器アドレスｋと、当該電気機器から送信されるデータＳ（ｋ）と共に示したものである。
【００４２】
そして、図７（Ａ）及び（Ｂ）では、接続端子Ｔ（ｐ＝ｒ２）に、機器アドレスｋがｒ１に設定された電気機器Ａ（ｎ１）が、デジタル信号線Ｄ（ｎ１）を介してに接続され、接続端子Ｔ（ｐ＝ｒ１）に、機器アドレスｋがｒ２に設定された電気機器Ａ（ｎ２）が、デジタル信号線Ｄ（ｎ２）を介して接続された場合、即ち、接続端子Ｔ（ｐ＝ｒ１）及びＴ（ｐ＝ｒ２）に対して電気機器Ａ（ｎ１）及びＡ（ｎ２）が逆に接続された場合が示されている。
【００４３】
本来、接続端子Ｔ（ｐ＝ｒ１）に、機器アドレスｋがｒ１である電気機器Ａ（ｎ１）を接続し、接続端子Ｔ（ｐ＝ｒ２）に、機器アドレスｋがｒ２である電気機器Ａ（ｎ２）を接続することが、予め定められている（図７（Ｂ）参照）。よって、対応テーブル３０では、接続端子Ｔ（ｐ＝ｒ１）に、電気機器Ａ（ｎ１）の機器アドレスｋ（＝ｒ１）に対応する情報Ｓｔ（本実施形態では、Ｓｔ＝ｒ１）が対応付けられ、接続端子Ｔ（ｐ＝ｒ２）に、電気機器Ａ（ｎ２）の機器アドレスｋ（＝ｒ２）に対応する情報Ｓｔ（本実施形態では、Ｓｔ＝ｒ２）が対応付けられている。
【００４４】
ところが、図７（Ａ）及び（Ｂ）に示された例の場合、接続端子Ｔ（ｐ＝ｒ１）には、電気機器Ａ（ｎ２）からのデータＳ（ｋ＝ｒ２）が入力され、接続端子Ｔ（ｐ＝ｒ２）には、電気機器Ａ（ｎ１）からのデータＳ（ｋ＝ｒ１）が入力される。このため、制御装置３が接続端子Ｔ（ｐ＝ｒ１）を介して受信したデータＳ（ｋ＝ｒ２）から得られる識別信号（本実施形態では、機器アドレスｋ＝ｒ２）は、対応テーブル３０において当該接続端子Ｔ（ｐ＝ｒ１）に対応付けられている情報Ｓｔ（本実施形態では、機器アドレスｋ＝ｒ１）に一致せず、従って、判断部３２は、接続端子Ｔ（ｐ＝ｒ１）における識別信号と情報Ｓｔとの不一致を検出する。即ち、判断部３２は、接続端子Ｔ（ｐ＝ｒ１）に、機器アドレスｋがｒ２である電気機器Ａ（ｎ２）が誤って接続されていることを検出する。
【００４５】
又、制御装置３が接続端子Ｔ（ｐ＝ｒ２）を介して受信したデータＳ（ｋ＝ｒ１）から得らえる識別信号（本実施形態では、機器アドレスｋ＝ｒ１）は、対応テーブル３０において当該接続端子Ｔ（ｐ＝ｒ２）に対応付けられている情報Ｓｔ（本実施形態では、機器アドレスｋ＝ｒ２）に一致せず、従って、判断部３２は、接続端子Ｔ（ｐ＝ｒ２）における識別信号と情報Ｓｔとの不一致を検出する。即ち、判断部３２は、接続端子Ｔ（ｐ＝ｒ２）に、機器アドレスｋがｒ１である電気機器Ａ（ｎ１）が誤って接続されていることを検出する。
【００４６】
尚、本実施形態において、判断部３２は、接続端子Ｔに接続されている機器アドレスｋ（識別信号）が対応テーブル３０の情報Ｓｔと一致しないことを検出できればよく、その機器アドレスｋが設定されている電気機器Ａが、何台目の電気機器Ａであるかということまでは特定できなくてもよい。
【００４７】
そして、識別信号（本実施形態では、機器アドレスｋ）と情報Ｓｔとが一致していないと判断部３２が判断したとき、変更部３４が、一致しなかったデータＳに含まれた識別信号に対応する情報と、そのデータＳが入力された接続端子Ｔと、が互いに対応する様に、予め定められていた対応付けを変更する（図４のステップＳ１３）。尚、図８は、変更処理後の対応テーブル３０を示した図である。
【００４８】
一例として、変更部３４は、対応テーブル３０における対応付けを変更することができる。図７（Ａ）及び（Ｂ）に示された例の場合、対応テーブル３０において、接続端子Ｔ（ｐ＝ｒ１）に、電気機器Ａ（ｎ１）の機器アドレスｋ（＝ｒ１）に対応する情報Ｓｔ（本実施形態では、Ｓｔ＝ｒ１）が予め対応付けられ、接続端子Ｔ（ｐ＝ｒ２）に、電気機器Ａ（ｎ２）の機器アドレスｋ（＝ｒ２）に対応する情報Ｓｔ（本実施形態では、Ｓｔ＝ｒ２）が予め対応付けられている。そして、接続端子Ｔ（ｐ＝ｒ１）に入力されたデータＳ（ｋ）から得られる機器アドレスｋ（識別信号）が、ｋ＝ｒ２であった場合、変更部３４は、対応テーブル３０において接続端子Ｔ（ｐ＝ｒ１）に予め対応付けられている情報Ｓｔ＝ｒ１を、Ｓｔ＝ｒ２に変更する。同様に、接続端子Ｔ（ｐ＝ｒ２）に入力されたデータＳ（ｋ）から得られる機器アドレスｋ（識別信号）が、ｋ＝ｒ１であった場合、変更部３４は、対応テーブル３０において接続端子Ｔ（ｐ＝ｒ２）に予め対応付けられている情報Ｓｔ＝ｒ２を、Ｓｔ＝ｒ１に変更する。
【００４９】
即ち、変更部３４は、図８に示される様に対応テーブル３０の対応付けを変更することにより、接続端子Ｔ（ｐ＝ｒ１）に、データＳ（ｋ＝ｒ２）に含まれた識別信号に対応する情報（本実施形態では、機器アドレスｋ＝ｒ２）を対応付け、接続端子Ｔ（ｐ＝ｒ２）に、データＳ（ｋ＝ｒ１）に含まれた識別信号に対応する情報（本実施形態では、機器アドレスｋ＝ｒ１）を対応付けることができる。
【００５０】
この構成によれば、電気機器Ａが、対応する接続端子Ｔとは別の接続端子Ｔに誤って接続されていた場合であっても、上記変更部３４による対応付けの変更により、接続端子Ｔと電気機器Ａとの接続関係を正しいものとして扱うことが可能になり、その結果として、接続の誤りを自動的に解消することができる。即ち、制御装置３に対する電気機器Ａの配線ミスを自動的に修復することが可能になる。よって、電気機器システムにおいて、制御装置３から電気機器Ａへ指令を個々に送信することが可能な状態を回復させることができる。
【００５１】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【符号の説明】
【００５２】
Ａ  電気機器
Ｄ  デジタル信号線
３  制御装置
Ｔ  接続端子
１１  ロータリスイッチ
１１ａ  操作軸
１１ｂ  スイッチ本体
３０  対応テーブル
３１  送信指令部
３２  判断部
３４  変更部
ｋ  機器アドレス
ｍ  選択可能アドレス
Ｃ  パルス数
Ｓ  データ
Ｓｔ  情報
ｔｄ  遅延時間
ｔｓ、ｔｄ０  所定時間
Ｗ  パルス幅
【図１】
2018091733.tif 000003
【図２】
2018091733.tif 000004
【図３】
2018091733.tif 000005
【図４】
2018091733.tif 000006
【図５】
2018091733.tif 000007
【図６】
2018091733.tif 000008
【図７】
2018091733.tif 000009
【図８】
2018091733.tif 000010